(57)【要約】【課題】原稿から読み取られた画像のデータとともに、送信先の人に関連する添付データを送りたいユーザーを支援すること。【解決手段】関連データ取得装置４６は、宛先情報Ｄ１１に対応付けられた保有データＤ２を記憶する不揮発性の記憶装置５から、送信先に相当する前記宛先情報Ｄ１１に対応付けられた前記保有データＤ２を関連データとして取得する。表示制御装置４３は、前記関連データの内容を表す画像を表示装置３ｂに表示させる。添付データ生成装置４７は、操作装置３ａに対する操作に従って前記関連データに基づく添付データＤ３を生成可能である。送信制御装置４４は、原稿画像データＤ０および前記添付データＤ３を前記送信先へ送信する処理を通信装置７に実行させる。【選択図】図１
2019054372.tif 000002
【特許請求の範囲】
【請求項１】
原稿から画像を読み取り、原稿画像のデータを出力する読取処理を実行する画像読取装置と、
データを他装置へ送信可能な通信装置と、
前記原稿画像のデータの送信先を設定する送信先設定装置と、
宛先情報に対応付けられた保有データを記憶する不揮発性の記憶装置から、設定された前記送信先に相当する前記宛先情報に対応付けられた前記保有データを関連データとして取得する関連データ取得装置と、
画像を表示可能な表示装置と、
前記関連データの内容を表す画像を前記表示装置に表示させる表示制御装置と、
ユーザーの操作を受け付ける操作装置と、
前記操作装置に対する操作に従って前記関連データに基づく添付データを生成可能な添付データ生成装置と、
前記原稿画像のデータおよび前記添付データを前記送信先へ送信する処理を前記通信装置に実行させる送信制御装置と、を備える画像処理装置。
【請求項２】
前記表示制御装置は、前記関連データの内容を表す画像を前記表示装置に表示させる処理を前記読取処理と並行して実行可能である、請求項１に記載の画像処理装置。
【請求項３】
前記原稿画像のデータの送信元を設定する送信元設定装置をさらに備え、
前記関連データ取得装置は、前記記憶装置から、前記送信先に相当する前記宛先情報および前記送信元に相当する前記宛先情報に対応付けられた前記保有データを前記関連データとして取得する、請求項１または請求項２に記載の画像処理装置。
【請求項４】
前記保有データが、写真データおよび前記写真データに関連する文字列データを含み、
前記表示制御装置は、前記関連データにおける前記写真データに基づく写真画像と、前記関連データに含まれる前記文字列データに基づいて生成されるメッセージ原案と、を前記表示装置に表示させ、
前記添付データ生成装置は、前記関連データに含まれる前記文字列データに基づいて前記メッセージ原案のデータを自動生成し、さらに、前記操作装置に対する修正操作に従って前記メッセージ原案のデータを修正することにより添付メッセージのデータを前記添付データとして生成する、請求項１から請求項３のいずれか１項に記載の画像処理装置。
【請求項５】
前記保有データが、過去に前記通信装置を通じて他装置へ送信された送信済みメッセージのデータを含み、
前記添付データ生成装置は、前記操作装置に対する修正操作に従って前記関連データにおける前記送信済みメッセージのデータを修正することにより前記添付データを生成する、請求項１から請求項３のいずれか１項に記載の画像処理装置。
【発明の詳細な説明】
【技術分野】
【０００１】
本発明は、原稿から読み取った画像のデータを設定された送信先へ送信する画像処理装置に関する。
【背景技術】
【０００２】
一般に、ネットワークスキャナーまたはファクシミリ装置などの画像処理装置は、原稿から画像を読み取り、読み取った画像のデータを設定された送信先へ送信するデータ送信機能を備える。
【０００３】
また、コミュニケーション端末が、相手装置との通話中に、指定された印刷端末へデータを送信することが知られている（例えば、特許文献１参照）。
【先行技術文献】
【特許文献】
【０００４】
【特許文献１】特開２０１４−１６８１８５号公報
【発明の概要】
【発明が解決しようとする課題】
【０００５】
ところで、前記ファクシミリ装置などの前記画像処理装置のユーザーが、前記原稿から読み取られた画像のデータとともに、送信先の人に関連するメッセージなどの添付データを送りたいと考える場合がある。
【０００６】
しかしながら、前記ユーザーが前記添付データを予め用意することは、前記ユーザーにとって手間である。
【０００７】
本発明の目的は、原稿から読み取られた画像のデータとともに、送信先の人に関連する添付データを送りたいユーザーを支援することができる画像処理装置を提供することにある。
【課題を解決するための手段】
【０００８】
本発明の一の局面に係る画像処理装置は、画像読取装置と、通信装置と、送信先設定装置と、関連データ取得装置と、表示装置と、表示制御装置と、操作装置と、添付データ生成装置と、送信制御装置と、を備える。前記画像読取装置は、原稿から画像を読み取り、原稿画像のデータを出力する読取処理を実行する。前記通信装置は、データを他装置へ送信可能である。前記送信先設定装置は、前記原稿画像のデータの送信先を設定する。前記関連データ取得装置は、宛先情報に対応付けられた保有データを記憶する不揮発性の記憶装置から、設定された前記送信先に相当する前記宛先情報に対応付けられた前記保有データを関連データとして取得する。前記表示装置は、画像を表示可能である。前記表示制御装置は、前記関連データの内容を表す画像を前記表示装置に表示させる。前記操作装置は、ユーザーの操作を受け付ける。前記添付データ生成装置は、前記操作装置に対する操作に従って前記関連データに基づく添付データを生成可能である。前記送信制御装置は、前記原稿画像のデータおよび前記添付データを前記送信先へ送信する処理を前記通信装置に実行させる。
【発明の効果】
【０００９】
本発明によれば、原稿から読み取られた画像のデータとともに、送信先の人に関連する添付データを送りたいユーザーを支援することができる画像処理装置を提供することが可能になる。
【図面の簡単な説明】
【００１０】
【図１】図１は、実施形態に係る画像処理装置のブロック図である。
【図２】図２は、実施形態に係る画像処理装置におけるデータ添付モードでのＦＡＸ送信ジョブの手順の一例を示すフローチャートである。
【図３】図３は、実施形態に係る画像処理装置におけるデータ選択画面の一例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
［画像処理装置１０の構成］
実施形態に係る画像処理装置１０は、原稿９１から画像を読み取る読取処理および前記読取処理によって得られる原稿画像データＤ０を他装置８へ送信するデータ送信処理を実行可能な装置である（図１参照）。
【００１３】
画像処理装置１０は、例えばネットワークスキャナーまたはファクシミリ装置などである。本実施形態において、画像処理装置１０は、ネットワークファクシミリ装置である。
【００１４】
図１に示されるように、画像処理装置１０は、画像読取装置１、画像形成装置２，ユーザーインターフェイスユニット３、ＣＰＵ４、ＲＡＭ（Random Access Memory）４ａ、二次記憶装置５、カメラ６および通信装置７などを備える。
【００１５】
ユーザーインターフェイスユニット３は、操作装置３ａおよび表示装置３ｂを含む。操作装置３ａは、ユーザーの操作を受け付ける装置であり、例えばタッチパネルを含む。表示装置３ｂは、画像を表示可能な装置であり、例えば、液晶表示パネルなどの表示パネルを含む。
【００１６】
通信装置７は、ネットワーク８０を通じて他の画像処理装置などの他装置８との間で通信を行う通信インターフェイスデバイスである。例えば、通信装置７は、原稿画像データＤ０を含むＦＡＸデータＤ５を他装置８へ送信可能である。ＣＰＵ４は、他装置８との間のデータの送信および受信の全てを、通信装置７を通じて行う。
【００１７】
二次記憶装置５は、コンピューター読み取り可能な不揮発性の記憶装置である。二次記憶装置５は、プログラムおよび各種のデータを記憶可能である。例えば、フラッシュメモリーまたはハードディスクドライブの一方または両方が、二次記憶装置５として採用される。
【００１８】
本実施形態において、二次記憶装置５は、アドレス帳データＤ１を予め記憶している。アドレス帳データＤ１は、相互に関連付けられた通信アドレスＤ１１と人属性データＤ１２とを含む。
【００１９】
通信アドレスＤ１１は、原稿画像データＤ０の送信先の候補となる他装置８のネットワーク８０上のアドレスである。人属性データＤ１２は、通信アドレスＤ１１に対応する人に関する情報である。なお、通信アドレスＤ１１は宛先情報の一例である。
【００２０】
例えば、人属性データＤ１２は、氏名、所属会社、所属部署および登録認証データなどを含む。本実施形態において、前記登録認証データは、後述する顔認証処理において参照されるデータを含む。前記顔認証処理については後述する。
【００２１】
ＲＡＭ４ａは、ＣＰＵ４が実行する前記プログラムおよびＣＰＵ４が前記プログラムを実行する過程で出力および参照するデータを一次記憶する揮発性の記憶装置である。ＲＡＭ４ａは、二次記憶装置５よりも高速なデータアクセスが可能な記憶装置である。
【００２２】
画像読取装置１は、原稿９１の画像を読み取る前記読取処理を実行する装置である。画像読取装置１は、ＡＤＦ(Automatic Document Feeder)１ａ、光源１ｂ、イメージセンサー１ｃおよびＡＦＥ（Analog Front End）１ｄなどを備える。
【００２３】
ＡＤＦ１ａは、複数の原稿９１を順次搬送する装置である。光源１ｂは、ＡＤＦ１ａによって搬送されている原稿９１に対して光を出射する。ＡＤＦ１ａは原稿搬送装置の一例である。
【００２４】
ＡＤＦ１ａが原稿９１を搬送することにより、光源１ｂの光が原稿９１に対して走査される。イメージセンサー１ｃは、ＡＤＦ１ａにより順次搬送される原稿９１各々における１ライン分の領域からの反射光を受光し、受光量の検出信号を画像信号として出力する。
【００２５】
ＡＦＥ（１ｄ）は、前記画像信号をデジタルの画像データへ変換し、原稿画像データＤ０を出力する。以上に示されるように、画像読取装置１が実行する前記読取処理は、ＡＤＦ１ａにより順次搬送される原稿９１各々から画像を読み取り、原稿画像データＤ０を出力する処理である。
【００２６】
画像形成装置２は、電子写真方式またはインクジェット方式などの予め定められた方式でシート９２に画像を形成する印刷処理を実行する。
【００２７】
画像処理装置１０がＦＡＸ送信ジョブを実行する場合、画像読取装置１が前記読取処理を実行し、通信装置７が原稿画像データＤ０を予め設定された通信先へ送信する。
【００２８】
画像処理装置１０がＦＡＸ受信ジョブを実行する場合、通信装置７が他装置８から当該他装置８で得られた原稿画像データＤ０を受信し、画像形成装置２が、通信装置７を通じて得られる原稿画像データＤ０に基づく前記印刷処理を実行する。
【００２９】
例えば、画像形成装置２が電子写真方式で前記印刷処理を実行する装置である場合、画像形成装置２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００３０】
シート搬送機構２ａは、シート９２を搬送する。帯電装置２ｃは、感光体２ｂの表面を帯電させる。レーザースキャニングユニット２ｄは、帯電した感光体２ｂの表面に静電潜像を書き込む。
【００３１】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００３２】
カメラ６は、画像処理装置１０の前方を向く状態で設けられている。カメラ６は、画像処理装置１０の前に存在するユーザーの顔を含む領域を撮影する。
【００３３】
カメラ６が動作すると、カメラ６によって撮影された画像のデータが、ＣＰＵ４に取り込まれ、ＲＡＭ４ａまたは二次記憶装置５に一時記憶される。以下の説明において、カメラ６によって撮影された画像のことを撮影画像と称する。
【００３４】
ＣＰＵ４は、各種の演算、データ処理および画像処理装置１０が備える各種の電気機器の制御を実行する制御装置の一例である。ＣＰＵ４は、画像読取装置１、画像形成装置２、ユーザーインターフェイスユニット３および通信装置７との間でデータおよび制御信号の受け渡しが可能である。
【００３５】
ＣＰＵ４は、二次記憶装置５に記憶されたプログラムを実行することにより、例えば読取制御部４１、印刷制御部４２、ＵＩ（User Interface）制御部４３、通信制御部４４および顔認証部４５として動作する。
【００３６】
読取制御部４１は、画像読取装置１を制御することにより、画像読取装置１に前記読取処理を実行させる。印刷制御部４２は、画像形成装置２を制御することにより、画像形成装置２に前記印刷処理を実行させる。
【００３７】
ＵＩ制御部４３は、表示装置３ｂへの画面出力の制御と、操作装置３ａに対する操作に従ったデータ処理とを実行する。
【００３８】
例えば、ＵＩ制御部４３は、操作装置３ａに対する宛先指定操作に従って、原稿画像データＤ０を含むＦＡＸデータＤｆ０の送信先を設定する宛先設定処理を実行する。前記宛先設定処理を実行するＵＩ制御部４３は、送信先設定装置の一例である。
【００３９】
前記宛先設定処理において、ＵＩ制御部４３は、二次記憶装置５からアドレス帳データＤ１を取得し、アドレス帳データＤ１に含まれる通信アドレスＤ１１を選択肢として表示装置３ｂに表示させる。さらに、ＵＩ制御部４３は、操作装置３ａに対する選択操作に従って、通信アドレスＤ１１の１つを選択し、選択した通信アドレスＤ１１を前記送信先として設定する。
【００４０】
通信制御部４４は、通信装置７を制御することにより、データの送信処理および受信処理を通信装置７に実行させる。
【００４１】
例えば、通信制御部４４は、データ送信処理を通信装置７に実行させる。前記データ送信処理は、ＦＡＸデータＤｆ０を前記宛先設定処理によって設定された前記送信先へ送信する処理である。通信制御部４４は、送信制御装置の一例である。
【００４２】
顔認証部４５は、カメラ６を通じて得られる前記撮影画像のデータと、二次記憶装置５に記憶されている人属性データＤ１２の前記登録認証データと、に基づいて前記顔認証処理を実行する。前記登録認証データは、予め定められた複数の顔要素である複数の登録顔要素のデータを含む。例えば、前記複数の顔要素は、目、鼻、口、顎および耳の相対的な位置および相対的な大きさなどを含む。
【００４３】
前記顔認識処理は、前記撮影画像から顔画像を抽出する処理と、前記顔画像における前記複数の顔要素である複数の認識顔要素を特定する処理とを含む。
【００４４】
さらに、前記顔認証処理は、許可判定処理を含む。前記許可判定処理は、前記複数の認識顔要素と前記登録認証データに含まれる前記複数の登録顔要素とを比較することによって画像処理装置１０の利用を許可するか否かを判定する処理である。
【００４５】
以下の説明において、前記許可判定処理によって画像処理装置１０の利用を許可する判定および不許可の判定が行われることを、それぞれ前記顔認証処理の成功および失敗という。
【００４６】
顔認証部４５は、前記顔認証処理に成功した場合にのみ、操作装置３ａに対するＦＡＸ送信操作に応じた前記ＦＡＸ送信ジョブの実行を許容する。
【００４７】
さらに、顔認証部４５は、成功した前記顔認証処理に対応する通信アドレスＤ１１および人属性データＤ１２を、ＦＡＸデータＤｆ０の送信元として設定する。本実施形態において、顔認証部４５として動作するＣＰＵ４は、原稿画像データＤ０の送信元を設定する送信元設定装置の一例である。
【００４８】
なお、ＤＳＰ（Digital Signal Processor）などの他のプロセッサーが、ＣＰＵ４の代わりに採用されることも考えられる。また、読取制御部４１、印刷制御部４２、ＵＩ制御部４３、通信制御部４４および顔認証部４５の一部または全部が、ＤＳＰなどのプロセッサーおよびＡＳＩＣ（Application Specific Integrated Circuit）などの集積回路の一方または両方によって実現されることも考えられる。
【００４９】
ところで、画像処理装置１０のユーザーが、原稿画像データＤ０とともに、送信先の人に関連するメッセージなどの添付データを送りたいと考える場合がある。
【００５０】
しかしながら、前記ユーザーが前記添付データを予め用意することは、前記ユーザーにとって手間である。
【００５１】
画像処理装置１０は、データ添付モードでのＦＡＸ送信ジョブを実行することができる。これにより、画像処理装置１０は、原稿画像データＤ０とともに、送信先の人に関連する前記添付データを送りたい前記ユーザーを支援することができる。
【００５２】
本実施形態において、二次記憶装置５は、１つ以上の通信アドレスＤ１１に対応付けられた保有データＤ２を記憶している。本実施形態において、保有データＤ２は、写真データＤ２１、写真付加データＤ２２および送信済みメッセージデータＤ２３を含む。
【００５３】
写真データＤ２１は、人属性データＤ１２に対応する人に関する写真画像のデータである。写真付加データＤ２２は、写真データＤ２１に関連する文字列データである。例えば、写真付加データＤ２２は、写真データＤ２１に対応する撮影場所、撮影状況、撮影日時および前記撮影場所への訪問の目的などを表すデータであることが考えられる。
【００５４】
送信済みメッセージデータＤ２３は、過去の前記データ添付モードでの前記ＦＡＸ送信ジョブにおいて、原稿画像データＤ０とともに送信されたメッセージのデータである。
【００５５】
ＵＩ制御部４３は、予め定められた添付モード指定操作およびジョブ開始操作が操作装置３ａに対して行われた場合に、前記データ添付モードでの前記ＦＡＸ送信ジョブの開始イベントを発生させる。
【００５６】
ＣＰＵ４は、二次記憶装置５に記憶されたプログラムを実行することにより、さらに関連データ取得部４６および添付データ生成部４７としても動作する。関連データ取得部４６および添付データ生成部４７は、前記データ添付モードでの前記ＦＡＸ送信ジョブにおける一部の処理を実行する。
【００５７】
［データ添付モードでのＦＡＸ送信ジョブ］
以下、図２に示されるフローチャートを参照しつつ、前記データ添付モードでの前記ＦＡＸ送信ジョブの手順の一例について説明する。以下の説明において、Ｓ１，Ｓ２，…は、前記ＦＡＸ送信ジョブにおける複数の工程の識別符号を表す。
【００５８】
＜工程Ｓ１＞
前記データ添付モードでの前記ＦＡＸ送信ジョブの開始イベントが発生すると、読取制御部４１が画像読取装置１に前記読取処理を実行させる。そして、以下に示される工程Ｓ２以降の処理が、前記読取処理と並行して実行される。
【００５９】
＜工程Ｓ２＞
工程Ｓ２において、ＵＩ制御部４３が、前記宛先設定処理を実行する。続いて、ＵＩ制御部４３は、処理を工程Ｓ３へ移行させる。
【００６０】
＜工程Ｓ３＞
工程Ｓ３において、関連データ取得部４６が、関連データ取得処理を実行する。前記関連データ取得処理は、二次記憶装置５から前記宛先設定処理により設定された前記送信先に相当する通信アドレスＤ１１に対応付けられた保有データＤ２を関連データとして取得する処理である。
【００６１】
例えば、前記送信先に相当する通信アドレスＤ１１および人属性データＤ１２が、その人属性データＤ１２に対応する人が写っている写真データＤ２１に対応付けられていることが考えられる。この場合、関連データ取得部４６は、二次記憶装置５から写真データＤ２１およびその写真データＤ２１に対応する写真付加データＤ２２を取得する。
【００６２】
また、前記送信先に相当する通信アドレスＤ１１が、過去に同じ通信アドレスＤ１１を宛先として送信された送信済みメッセージデータＤ２３に対応付けられていることが考えられる。この場合、関連データ取得部４６は、二次記憶装置５から送信済みメッセージデータＤ２３を取得する。
【００６３】
そして、関連データ取得部４６は、前記関連データを取得できた場合に処理を工程Ｓ４へ移行させ、前記間データを取得できなかった場合に処理を工程Ｓ８へ移行させる。なお、関連データ取得部４６として動作するＣＰＵ４は、関連データ取得装置の一例である。
【００６４】
＜工程Ｓ４＞
工程Ｓ４において、添付データ生成部４７は、前記関連データに含まれる写真付加データＤ２２に基づいてメッセージ原案Ｍ０のデータを自動生成する。その後、添付データ生成部４７は処理を工程Ｓ５へ移行させる。
【００６５】
メッセージ原案Ｍ０のデータは、原稿画像データＤ０とともに前記送信先へ送信される添付データＤ３の基礎となるデータである（図１参照）。
【００６６】
例えば、添付データ生成部４７は、添付データＤ３を予め定められたメッセージ作成ルールに適用することによってメッセージ原案Ｍ０のデータを自動生成する。
【００６７】
前記メッセージ作成ルールの一例として、添付データＤ３に前記撮影場所および前記撮影日時の文字列が含まれ、かつ、前記撮影日時の文字列が、現在を基準に予め定められた期間以上過去の日時を表す場合に、「また久しぶりにＴＸ０へ行きたいですね。」というメッセージ原案Ｍ０を生成するルールが考えられる。ここで、ＴＸ０は、前記撮影場所の文字列である。
【００６８】
また、前記メッセージ作成ルールが、添付データＤ３の複数の例と、メッセージの複数の例との組み合わせを教師データとして学習するニューラルネットワークなどのＡＩ（Artificial Intelligence）手法によって生成されたルールであることが考えられる。
【００６９】
＜工程Ｓ５＞
工程Ｓ５において、ＵＩ制御部４３が、データ選択画面ｇ０を表示装置３ｂに表示させる（図３参照）。データ選択画面ｇ０は、１つ以上の前記関連データの内容を表す画像を選択肢として含む画面である。
【００７０】
図３に示される例において、データ選択画面ｇ０は、前記関連データに含まれる写真データＤ２１に基づく写真画像ｇ１と、工程Ｓ４で生成されたメッセージ原案Ｍ０と、前記関連データに含まれる送信済みメッセージデータＤ２３とを含む。なお、データ選択画面ｇ０が、写真画像ｇ１、メッセージ原案Ｍ０および送信済みメッセージデータＤ２３のうちの１つまたは２つを含まないことも考えられる。
【００７１】
図３に示される例において、写真画像ｇ１に対応するメッセージ原案Ｍ０と、送信済みメッセージデータＤ２３とが選択肢である。データ選択画面ｇ０を見るユーザーは、メッセージ原案Ｍ０の作成の元になった写真画像ｇ１を確認することができる。
【００７２】
＜工程Ｓ６＞
続いて、添付データ生成部４７が、操作装置に対する選択操作に従って１つ以上のメッセージ原案Ｍ０のデータまたは送信済みメッセージデータＤ２３のうちの１つを修正対象として選択する。
【００７３】
＜工程Ｓ７＞
さらに、添付データ生成部４７が、操作装置３ａに対する修正操作に従って、選択されたメッセージ原案Ｍ０または送信済みメッセージデータＤ２３を修正することによって添付データＤ３を生成する。
【００７４】
前記修正操作は、メッセージ原案Ｍ０または送信済みメッセージデータＤ２３の一部の文字列を削除する操作または文字列を追加する操作などを含む。添付データ生成部４７は、処理を工程Ｓ７から工程Ｓ１０へ移行させる。
【００７５】
＜工程Ｓ８＞
工程Ｓ８において、ＵＩ制御部４３が、表示装置３ｂに前記関連データを得ることができなかった旨の通知を表示装置３ｂに表示させる。その後、ＵＩ制御部４３は処理を工程Ｓ９へ移行させる。
【００７６】
＜工程Ｓ９＞
工程Ｓ９において、添付データ生成部４７は、操作装置３ａに対する文字列入力操作に従って新規メッセージを作成し、前記新規メッセージのデータを添付データＤ３として設定する。その後、添付データ生成部４７は処理を工程Ｓ１０へ移行させる。
【００７７】
＜工程Ｓ１０＞
工程Ｓ１０において、読取制御部４１は、工程Ｓ１で開始した一連の前記読取処理が終了するまで、工程Ｓ１１以降の処理を待機させる。そして、読取制御部４１は、一連の前記読取処理が終了すると、処理を工程Ｓ１１へ移行させる。
【００７８】
＜工程Ｓ１１＞
工程Ｓ１１において、通信制御部４４が、ＦＡＸデータＤｆ０を工程Ｓ２で設定された前記送信先へ送信する処理を通信装置７に実行させる。前記送信先へ送信されるＦＡＸデータＤｆ０は、工程Ｓ１で開始された前記読取処理により得られた原稿画像データＤ０と、工程Ｓ７または工程Ｓ９で生成された添付データＤ３と、を含む。
【００７９】
そして、通信制御部４４は、処理を工程Ｓ１２へ移行させる。
【００８０】
＜工程Ｓ１２＞
工程Ｓ１２において、添付データ生成部４７は、工程Ｓ１１において前記送信先へ送信された添付データＤ３を、前記送信先に相当する通信アドレスＤ１１に対応付けて二次記憶装置５に記憶させる。
【００８１】
工程Ｓ１２において二次記憶装置５に記録される添付データＤ３が、保有データＤ２における送信済みメッセージデータＤ２３である。その後、添付データ生成部４７は、前記データ添付モードでの前記ＦＡＸ送信ジョブを終了させる。
【００８２】
以上に示されるように、関連データ取得部４６は、二次記憶装置５から、工程Ｓ２で設定された前記送信先に相当する通信アドレスＤ１１に対応付けられた保有データＤ２を前記関連データとして取得する（Ｓ３）。
【００８３】
本実施形態において、前記関連データは、写真データＤ２１、写真付加データＤ２２または送信済みメッセージデータＤ２３を含む。
【００８４】
さらに、ＵＩ制御部４３は、前記関連データの内容を表す画像を含むデータ選択画面ｇ０を表示装置３ｂに表示させる（Ｓ５）。なお、工程Ｓ５の処理を実行するＵＩ制御部４３として動作するＣＰＵ４は、表示制御装置の一例である。
【００８５】
また、ＵＩ制御部４３は、前記関連データの内容を表す画像を表示装置３ｂに表示させる処理を、工程Ｓ１で開始された前記読取処理と並行して実行可能である（Ｓ５）。これにより、前記ユーザーは、前記読取処理が終了するまでの待ち時間に、前記関連データの内容を確認することができる。
【００８６】
さらに、添付データ生成部４７は、操作装置３ａに対する操作に従って前記関連データに基づく添付データＤ３を生成可能である（Ｓ４，Ｓ７）。
【００８７】
本実施形態において、添付データ生成部４７は、写真付加データＤ２２に基づいて前記メッセージ原案Ｍ０のデータを自動生成する（Ｓ４）。
【００８８】
さらに、添付データ生成部４７は、操作装置３ａに対する前記修正操作に従って、メッセージ原案Ｍ０のデータまたは送信済みメッセージデータＤ２３を修正することにより、添付メッセージのデータを添付データＤ３として生成することができる（Ｓ７）。
【００８９】
前述したように、添付データＤ３は、原稿画像データＤ０に添付されるメッセージのデータである。なお、工程Ｓ４および工程Ｓ７の処理を実行する添付データ生成部４７として動作するＣＰＵ４は、添付データ生成装置の一例である。
【００９０】
従って、画像処理装置１０は、前記送信先の人に関連する添付データＤ３を原稿画像データＤ０とともに送りたいと考えるユーザーを支援することができる。
【００９１】
また、添付データ生成部４７は、メッセージ原案Ｍ０のデータまたは送信済みメッセージデータＤ２３の修正によって添付データＤ３を生成する処理も、工程Ｓ１で開始された前記読取処理と並行して実行可能である（Ｓ７）。
【００９２】
従って、前記ユーザーは、前記読取処理が終了するまでの待ち時間に、添付データＤ３を生成するための修正操作を行うことができる。
【００９３】
[第１応用例]
図２の工程Ｓ３において、関連データ取得部４６が、二次記憶装置５から、前記送信先に相当する通信アドレスＤ１１および前記送信元に相当する通信アドレスＤ１１に対応付けられた保有データＤ２を前記関連データとして取得することも考えられる。前述したように、前記送信元は、顔認証部４５によって設定される。
【００９４】
本応用例によれば、前記送信先の人と前記送信元の前記ユーザーとの両方に関連する前記関連データが二次記憶装置５から取得される。これにより、添付データ生成部４７は、前記送信先および前記送信元の両方に関連する添付データＤ３を生成することができる。
【００９５】
[第２応用例]
前述の実施形態において、二次記憶装置５に記憶される保有データＤ２が、ネットワーク８０を通じてアクセス可能な外部装置の記憶装置に記憶されていてもよい。
【００９６】
本応用例において、関連データ取得部４６は、通信装置７を通じて前記外部装置の前記記憶装置から前記関連データを取得する。また、本応用例が、前記第１応用例とともに採用されることも考えられる。
【符号の説明】
【００９７】
１      ：画像読取装置
１ｂ    ：光源
１ｃ    ：イメージセンサー
２      ：画像形成装置
２ａ    ：シート搬送機構
２ｂ    ：感光体
２ｃ    ：帯電装置
２ｄ    ：レーザースキャニングユニット
２ｅ    ：現像装置
２ｆ    ：転写装置
２ｇ    ：定着装置
３      ：ユーザーインターフェイスユニット
３ａ    ：操作装置
３ｂ    ：表示装置
４      ：ＣＰＵ
４ａ    ：ＲＡＭ
５      ：二次記憶装置
６      ：カメラ
７      ：通信装置
８      ：他装置
１０    ：画像処理装置
４１    ：読取制御部
４２    ：印刷制御部
４３    ：ＵＩ制御部
４４    ：通信制御部
４５    ：顔認証部
４６    ：関連データ取得部
４７    ：添付データ生成部
８０    ：ネットワーク
９１    ：原稿
９２    ：シート
Ｄ０    ：原稿画像データ
Ｄ１    ：アドレス帳データ
Ｄ１１  ：通信アドレス
Ｄ１２  ：人属性データ
Ｄ２    ：保有データ
Ｄ２１  ：写真データ
Ｄ２２  ：写真付加データ（文字列データ）
Ｄ２３  ：送信済みメッセージデータ
Ｄ３    ：添付データ
Ｄｆ０  ：ＦＡＸデータ
Ｍ０    ：メッセージ原案
ｇ０    ：データ選択画面
ｇ１    ：写真画像
【図１】
2019054372.tif 000003
【図２】
2019054372.tif 000004
【図３】
2019054372.tif 000005